(57)【要約】      （修正有）【課題】寒気に晒される指袋の面部位を少なくして、且つ各指袋内部及び手袋内部を温めて保温する為の指袋三手袋を提供する。【解決手段】手袋本体に手の平及び甲を収納する開口部を備えた基袋部３を設け、該基袋部に親指を収納する第一指袋部５を設け、該第一指袋部は親指の形状に合わせた形状構成で、従来の指袋五手袋の親指を収納する指袋と同じような位置形状であり、該基袋部の前方側に人差指と中指を収納する第二指袋部６を設け、該第二指袋部は人差指と中指の形状に合わせた二本一緒に収納できる形状構成で、従来の指袋五手袋の人差指と中指をそれぞれ収納する各指袋と同じような位置形成であり、該基袋部の前方側に該第二指袋部と並んだ横側の位置形成で薬指と小指を収納する第三指袋部７を設け、該第三指袋部は薬指と小指の形状に合わせた二本一緒に収納できる形状構成であり、これらをそれぞれ設けて一体形成したことを特徴とする指袋三手袋。【選択図】図１
2018028166.tif 000002
【特許請求の範囲】
【請求項１】
手袋本体に手の平及び甲を収納する開口部を備えた基袋部を設け、該基袋部に親指を収納する第一指袋部を設け、該第一指袋部は親指の形状に合わせた形状構成で、従来の指袋五手袋の親指を収納する指袋と同じような位置形成であり、該基袋部の前方側に人差指と中指を収納する第二指袋部を設け、該第二指袋部は人差指と中指の形状に合わせた二本一緒に収納できる形状構成で、従来の指袋五手袋の人差指と中指をそれぞれ収納する各指袋と同じような位置形成であり、該基袋部の前方側に該第二指袋部と並んだ横側の位置形成で薬指と小指を収納する第三指袋部を設け、該第三指袋部は薬指と小指の形状に合わせた二本一緒に収納できる形状構成であり、これらをそれぞれ設けて一体形成したことを特徴とする指袋三手袋。
【請求項２】
前記第二指袋部の先部位付近に、一緒に収納する長さの違う人差指と中指の形状に合わせて、人差指と中指の各指頭頂上部位が、収納したときにそれぞれ該第二指袋部の内部先端部位に、個々に当接できる形状構成にて第一段差部を設けたことを特徴とする請求項１に記載の指袋三手袋。
【請求項３】
前記第三指袋部の先部位付近に、一緒に収納する長さの違う薬指と小指の形状に合わせて、薬指と小指の各指頭頂上部位が、同じく収納したときにそれぞれ該第三指袋部の内部先端部位に、個々に当接できる形状構成にて第二段差部を設けたことを特徴とする請求項１又は請求項２に記載の指袋三手袋。
【発明の詳細な説明】
【技術分野】
【０００１】  本発明は、冬に外出をする際などに手の保温をする指袋三手袋に関するものである。
【背景技術】
【０００２】  従来、冬に外出をする際などに手の保温をする手袋は、指袋が五袋有り、親指、人差指、中指、薬指、小指をそれぞれ一本ずつ個別に各指袋に収納していた。
尚、袋状の親指収納部と四指が差し入れられる袋状の四指収納部とが設けられた外手袋を有する防寒手袋が知られている（特許文献１参照）。
【先行技術文献】
【特許文献】
【０００３】
【特許文献１】特開２０１１−２０２２９４号広報
【発明の概要】
【発明が解決しようとする課題】
【０００４】  指袋が五袋有り、親指、人差指、中指、薬指、小指をそれぞれ一本ずつ個別に指袋に収納する指袋五手袋は、五指袋の外周表面が全て外気に晒される形状構成であり、各指袋内部に寒気が伝わり易く、且つ指袋五手袋は、指と指を密着させることで互いの体熱が倍加して増大するのを利用して、各指袋内部及び手袋内部を温めて保温することは不可能だった。
また、防寒手袋（特許文献１参照）は、四指を一つの指袋に一括して収納する形状構成である為に、日常の手指を使う作業がスムースに行えない不便が生じると云う問題があった。
本発明は、以上の問題点を解決するためになされたものである。
【課題を解決するための手段】
【０００５】  手袋本体に手の平及び甲を収納する開口部を備えた基袋部を設け、該基袋部に親指を収納する第一指袋部を設け、該第一指袋部は親指の形状に合わせた形状構成で、従来の指袋五手袋の親指を収納する指袋と同じような位置形成であり、該基袋部の前方側に人差指と中指を収納する第二指袋部を設け、該第二指袋部は人差指と中指の形状に合わせた二本一緒に収納できる形状構成で、従来の指袋五手袋の人差指と中指をそれぞれ収納する各指袋と同じような位置形成であり、該基袋部の前方側に該第二指袋部と並んだ横側の位置形成で薬指と小指を収納する第三指袋部を設け、該第三指袋部は薬指と小指の形状に合わせた二本一緒に収納できる形状構成であり、これらをそれぞれ設けて一体形成したことを特徴とする指袋三手袋。
【発明の効果】
【０００６】  従来不可能とされていた指袋の数を減らして寒気に晒される外周表面を少なくすることを、本発明により可能にし、且つ指と指を密着させることで互いの体熱が倍加して増大するのを利用して、各指袋内部及び手袋内部を温めて保温することを可能にし、冬に外出をする際などに、手指の防寒が安全で手軽にできる。
冬に猿山の猿の群れがくっつき合って暖を取る光景が冬の風物詩化して広く知られており、また雪山での遭難者が身体を密着させて互いの体熱による保温で凍死を免れたと云う実例が数多くあるように、体熱による保温効果は絶大である。
また本発明は、親指と人差指及び中指を使って物を自在に摘まむことができるので、日常生活に於いて不便や支障が生じることはなく、且つ手袋をはめた時に生じる特有の窮屈感が、人差指と中指及び薬指と小指は軽減するので、心地よい使用感が得られる。
【図面の簡単な説明】
【０００７】
【図１】本発明の斜視図
【図２】本発明の断面図
【図３】本発明の使用状態を示す斜視図
【図４】本発明の使用状態を示す斜視図
【発明を実施するための形態】
【０００８】  以下、本発明の実施の形態を説明する。
（イ）最初に、指袋三手袋（１）は、右手用と左手用が同一形状構成であり、この実施の      形態に於いては右手用の指袋三手袋（１）を図示（図１、図２、図３、図４）して      説明する。
（ロ）手袋本体（２）に手（Ａ）の手の平及び甲（Ｂ）を収納する開口部（３）を備えた      基袋部（４）を設ける。
（ハ）該開口部（３）は、手（Ａ）の手首から先の部位を出し入れできるサイズであり、      且つ差し入れて当接する手首部位を、容易に脱落しない程度に軽く締め付けるよう      に、ゴム材を使用して伸縮性の機能を持たせている。
（ニ）該基袋部（４）は、手の平及び甲（Ｂ）の形状に合わせた形状構成である。
（ホ）該基袋部（４）の左側面に親指（Ｃ）を収納する第一指袋部（５）を設ける。
（ヘ）該第一指袋部（５）は、親指（Ｃ）の形状に合わせた斜め上方へ延びた木の枝のよ      うな形状構成で、従来の指袋五手袋の親指を収納する指袋と同じような位置形状で      同じような形状構成である。
（ト）該基袋部（４）の前方左側に人差指（Ｄ）と中指（Ｅ）を収納する第二指袋部（６      ）を設ける。
（チ）該第二指袋部（６）は、人差指（Ｄ）と中指（Ｅ）の形状に合わせた二本を一緒に      収納できる形状構成で、従来の指袋五手袋の人差指（Ｄ）を収納する指袋と中指（      Ｅ）を収納する指袋の、各二つの指袋を合体させて一つの指袋にしたような形状構      成であり、各二つの指袋と同じような位置形状である。
（リ）該基袋部（４）の前方右側に該第二指袋部（６）と並んだ右横側の位置形成で薬指      （Ｆ）と小指（Ｇ）を収納する第三指袋部（７）を設ける。
（ヌ）該第三指袋部（７）は、薬指（Ｆ）と小指（Ｇ）の形状に合わせた二本を一緒に収      納できる形状構成で、従来の指袋五手袋の薬指（Ｆ）を収納する指袋と小指（Ｇ）      を収納する指袋の、各二つの指袋を合体させて一つの指袋にしたような形状構成で      ある。
（ル）該第二指袋部（６）の左側先部位付近に、一緒に収納する長さの違う人差指（Ｄ）      と中指（Ｅ）の形状に合わせて、人差指（Ｄ）と中指（Ｅ）の各指頭頂上部位が、      収納したときにそれぞれ該第二指袋部（６）の内部先端部位に、個々に当接できる      形状構成にて第一段差部（８）を設ける。
（ヲ）該第三指袋部（７）の右側先部位付近に、一緒に収納する長さの違う薬指（Ｆ）と      小指（Ｇ）の形状に合わせて、薬指（Ｆ）と小指（Ｇ）の各指頭頂上部位が、収納      したときにそれぞれ該第三指袋部（７）の内部先端部位に、個々に当接できる形状      構成にて第二段差部（９）を設ける。
（ワ）該指袋三手袋（１）は、毛糸材を手編み又は機械編み、綿材又は各種繊維材を縫製      して従来の指袋五手袋と同じような製造工程で容易に安価で提供できる。
本発明は以上のような構造である。
本発明を使用するときは、まず指袋三手袋（１）の開口部（３）に指先から従来の指袋五手袋をはめるときと同じ要領と動作で各指を接着させた状態にして差し入れる。指先が開口部（３）を通過して基袋部（４）内に入ったら、親指（Ｃ）を少し離し、人差指（Ｄ）と中指（Ｅ）は接着させた状態を保ち、同じく薬指（Ｆ）と小指（Ｇ）も接着させた状態を保ちながら、中指（Ｅ）と薬指（Ｆ）を少し離し気味にした状態で、差し入れる動作を続けて、親指（Ｃ）は第一指袋部（５）内に、人差指（Ｄ）と中指（Ｅ）は一緒に第二指袋部（６）内に、薬指（Ｆ）と小指（Ｇ）は一緒に第三指袋部（７）内に、それぞれ各指を各定めた各指袋内に収納して、各指の先端部位がそれぞれ各指袋の先端内部に到達したら、従来の指袋五手袋をはめる作業と同じように指袋三手袋（１）をはめる作業は完了する。
また、上記中指（Ｅ）と薬指（Ｆ）を少し離し気味にする動作は、必ずしも必要とする動作では無く、従来の指袋五手袋をはめるときと同じような感覚と要領でも、第二指袋部（６）と第三指袋部（７）の分岐点で、中指（Ｅ）と薬指（Ｆ）が自然に分離してそれぞれ第二指袋部（６）と第三指袋部（７）に分かれて収納されるので、老若男女がこれまでと殆ど変わらない感覚と要領で指袋三手袋（１）をはめることができる。
そして、指袋三手袋（１）は、第二指袋部（６）に密着した状態で収納された人差指（Ｄ）と中指（Ｅ）のそれぞれが発する体熱が、密着することで倍加して増大するので、時間の経過と共に第二指袋部（６）の内部の保温は勿論、基袋部（４）内部から第一指袋部（５）内部も保温ができて、更に同じく第三指袋部（７）に密着した状態で収納された薬指（Ｆ）と小指（Ｇ）のそれぞれが発する体熱が、密着することで倍加して増大するので、時間の経過と共に第三指袋部（７）の内部の保温は勿論、基袋部（４）内部の保温ができるので、指袋三手袋（１）をはめて外出すれば、従来の指袋五手袋に比べて手指が暖かく、且つ人差指（Ｄ）と中指（Ｅ）及び薬指（Ｆ）と小指（Ｇ）の四本の指は、構造上必然的に締め付けられるような手袋特有の不快な窮屈感が軽減されるので、心地よさが得られる利点も加わる。
また、日常よく行われる物を摘まむ作業も、親指（Ｃ）と人差指（Ｄ）及び中指（Ｅ）の三指が自在に使える形状構成なので、何ら支障無く出来て、例えば箸を持って行う作業などに於いても従来の指袋五手袋と同等であり、使用感は格段に指袋三手袋（１）が良いので安心して楽しく使用できる。
【符号の説明】
【０００９】  １指袋三手袋、２手袋本体、３開口部、４基袋部、５第一指袋部、６第二指袋部、７第三指袋部、８第一段差部、９第二段差部、Ａ手、Ｂ甲、Ｃ親指、Ｄ人差指、Ｅ中指、Ｆ薬指、Ｇ小指、Ｋカード
【図１】
2018028166.tif 000003
【図２】
2018028166.tif 000004
【図３】
2018028166.tif 000005
【図４】
2018028166.tif 000006